(57)【特許請求の範囲】
【請求項１】
ストアードフェア機能を有するＩＣカードの定期券を発売する自動券売機であって、
前記定期券発行に必要な定期券購入若しくは定期券購入登録の何れかの処理を選択可能に表示すると共に、当該表示された操作案内に従って選択若しくは入力可能な操作画面と、前記操作画面から定期券購入処理が選択され、かつ、前記ストアードフェア機能を有するＩＣカードが当該自動券売機に挿入された場合、当該ＩＣカードのストアードフェア機能を利用して乗降した駅情報を読み取り、当該駅情報から乗車駅及び降車駅からなる区間選択画面を前記操作画面に表示し、当該表示された区間選択画面から選択された区間に基づいて当該定期券の購入区間を設定する区間設定手段と、
前記駅情報から経路候補を選択可能に前記操作画面に表示し、当該表示された経路選択画面から選択された経路に基づいて当該定期券の経路を設定する経路設定手段と、
前記操作画面から定期券購入登録処理が選択され、かつ、前記ストアードフェア機能を有するＩＣカードが当該自動券売機に挿入された場合、当該ＩＣカードに乗車して区間を指定する登録エンコードを行う定期券購入登録手段と、
を備えたことを特徴とする自動券売機。
【請求項２】
ストアードフェア機能を有するＩＣカードの定期券を発売する自動券売機であって、
前記ＩＣカードに、乗車して区間を指定する登録のエンコードがあるかを判別する定期券購入登録判別手段と、
乗降車時のエンコードがあるかを判別する乗降車情報判別手段と、
前記定期券購入登録判別手段の結果定期券購入登録のエンコードがありかつ乗降車情報判別手段の結果乗降車情報のエンコードがあるとき、当該乗降車情報のエンコードの日付が当該ＩＣカードの定期券の開始日と一致するとき、当該定期券の当初の発売金額から前記乗降車情報に基づく乗車区間の乗車金額を差し引いた金額を当該定期券の発売金額とする定期券運賃設定手段と、
をさらに備えたことを特徴とする請求項１記載の自動券売機。
【請求項３】
前記定期券運賃設定手段はさらに、
前記定期券購入登録判別手段の結果定期券購入登録のエンコードがないとき、前記乗車情報判別手段の結果乗車情報のエンコードがないとき又は前記乗車情報のエンコードの日付が当該ＩＣカードの定期券の開始日と一致しないとき、当該定期券の当初の発売金額を発売金額とすることを特徴とする請求項２記載の自動券売機。
【発明の詳細な説明】
【技術分野】
【０００１】
本発明の実施形態は、自動券売機に関する。
【背景技術】
【０００２】
近年、定期券は、自動券売機又は定期券発行機などにより発行される。自動券売機は、購入者が操作画面の案内に従って定期券購入情報を入力することにより定期券を発行するものである。また、定期券発行機は、駅係員が購入者から提示された定期券購入申込書に記載された内容に基づき操作画面の案内に従って定期券購入情報を入力することにより定期券（例えば、ＩＣカード）を発行する。また、また、使用履歴がある場合は、その情報を用いて定期券を発行する方法が知られている（例えば、特許文献１参照）。
【先行技術文献】
【特許文献】
【０００３】
【特許文献１】特開平９−３２６０４９号（第４−５頁、図３）
【発明の概要】
【発明が解決しようとする課題】
【０００４】
しかしながら、従来の自動券売機では、上記利用者（購入者）又は駅係員が、発駅、着駅を選択し、場合によっては経路を選択し、区間を設定する。駅や経路の選択は候補をすべて表示する場合、頭文字から選択する場合、連絡社線を選択してからさらに駅候補を表示する場合、また、路線図を示して選択させる場合などがあり、いずれの場合も、発売可能な範囲が広くなればなるほど、画面は複雑になり、購入者にとって間違えやすく、煩雑である。
【０００５】
また、自動券売機の操作が分かりにくいと駅係員が説明を求められるし、分らないと係員窓口で購入しようとする場合もある。さらに、間違えて購入してしまった場合は、駅係員による廃札の処理が必要になるなど、駅係員に負担がかかっていた。
【０００６】
本発明は、上述した課題を解決するためになされたもので、ＩＣ定期券利用者による利用情報に基づいて経路情報を選択できるようにすることにより操作性を改善した自動券売機を提供することを目的とする。
【課題を解決するための手段】
【０００７】
上記目的を達成するために、本発明の請求項１記載の自動券売機は、ストアードフェア機能を有するＩＣカードの定期券を発売する自動券売機であって、前記定期券発行に必要な定期券購入若しくは定期券購入登録の何れかの処理を選択可能に表示すると共に、当該表示された操作案内に従って選択若しくは入力可能な操作画面と、前記操作画面から定期券購入処理が選択され、かつ、前記ストアードフェア機能を有するＩＣカードが当該自動券売機に挿入された場合、当該ＩＣカードのストアードフェア機能を利用して乗降した駅情報を読み取り、当該駅情報から乗車駅及び降車駅からなる区間選択画面を前記操作画面に表示し、当該表示された区間選択画面から選択された区間に基づいて当該定期券の購入区間を設定する区間設定手段と、前記駅情報から経路候補を選択可能に前記操作画面に表示し、当該表示された経路選択画面から選択された経路基づいて当該定期券の経路を設定する経路設定手段と、前記操作画面から定期券購入登録処理が選択され、かつ、前記ストアードフェア機能を有するＩＣカードが当該自動券売機に挿入された場合、当該ＩＣカードに乗車して区間を指定する登録エンコードを行う定期券購入登録手段と、を備えたことを特徴とする自動券売機。
【０００８】
また、請求項２記載の自動券売機は、ストアードフェア機能を有するＩＣカードの定期券を発売する自動券売機であって、前記ＩＣカードに、乗車して区間を指定する登録のエンコードがあるかを判別する定期券購入登録判別手段と、乗降車時のエンコードがあるかを判別する乗降車情報判別手段と、前記定期券購入登録判別手段の結果定期券購入登録のエンコードがありかつ乗降車情報判別手段の結果乗降車情報のエンコードがあるとき、当該乗降車情報のエンコードの日付が当該ＩＣカードの定期券の開始日と一致するとき、当該定期券の当初の発売金額から前記乗降車情報に基づく乗車区間の乗車金額を差し引いた金額を当該定期券の発売金額とする定期券運賃設定手段と、をさらに備えたことを特徴とする請求項１記載の自動券売機。
【図面の簡単な説明】
【０００９】
【図１】実施例１に係る自動券売機を用いた駅務機器システムの一例
【図２】図１に示す自動券売機の定期券発行処理のフローチャート（その１）
【図３】図１に示す自動券売機の定期券発行処理のフローチャート（その２）
【図４】実施例２に係る自動券売機の定期券発行処理のフローチャート（その１）
【図５】実施例２に係る定期券購入登録処理（サブルーチン）のフローチャート
【図６】実施例２に係る自動券売機の定期券発行処理のフローチャート（その２）
【発明を実施するための形態】
【００１０】
実施例１は、図１に示す駅務機器システムにおいて、ストアードフェア機能を利用して乗降した駅情報を基に定期券の乗車情報を設定する自動発売機の定期券発行処理フローチャートを図２、図３を参照して説明する。
【００１１】
また、実施例２は、図１に示す駅務機器システムにおいて、乗車して区間を指定する登録のエンコードがあり、かつ、当該乗降車情報のエンコードの日付が当該ＩＣカードの定期券の開始日と一致する場合、当該定期券の当初の発売金額から乗降車情報に基づく乗車区間の乗車金額を差し引いた金額を当該定期券の発売金額とする自動券売機の定期券発行処理フローチャートを図４〜図６を参照して説明する。
【実施例１】
【００１２】
図１は、実施例１に係る自動券売機を用いた駅務機器システムの一例である。実施例１に係る駅務機器システムは、自動券売機１０、定期券発行機２０、自動改札機３０、窓口処理機４０及びこれらの機器と通信可能に接続されたＩＣカードサーバ５０などで構成される。
【００１３】
自動券売機１０は、センサ１１が配置されている。以下、定期券情報が記録されたＩＣカードＴが発行される場合を説明する。
【００１４】
センサ１１は、当該自動券売機１０に接近した利用者（購入者）を検知する。利用者が検知されると操作画面１３が表示される。この操作画面１３の表示内容に従って、氏名、性別、年齢、乗車区間、乗車期間及び経路などを入力または選択することにより、これら定期券情報が記録されたＩＣカードＴが発行される。
【００１５】
定期券発行機２０には、操作部２１、操作表示部２２、表示部２３、ＩＣカード出入口２４及び磁気券出入口２５などが設けられている。
【００１６】
定期券発行機２０は、駅係員が利用者から提示された定期券申込書に記載された内容に基づき定期券情報を入力することによりＩＣカードＴを発行する。
【００１７】
自動改札機３０には、ＩＣカード読取部３１が設けられており、ＩＣカードＴを所持する利用者が当該ＩＣカードＴをＩＣカード読取部３１に翳すと、当該ＩＣカードＴがＩＣカード読取部３１によって読取られ、通行の可否が判別される。
【００１８】
窓口処理機４０は、係員操作部４１、チャージ部４２、客用表示部４４及びＩＣカードリーダ・ライタ４５などで構成され、駅係員によって操作される。
【００１９】
図２は、図１に示す自動券売機の定期券発行処理フローチャート（その１）である。また、図３は、図１に示す自動券売機の定期券発行処理フローチャート（その２）である。以下、これらの図を参照して実施例１に係る自動券売機の定期券発行処理を説明する。
【００２０】
ここでは、自動券売機１０を利用者が使用して定期券を発行する場合を説明する。利用者が自動券売機１０に接近すると、センサ１１によって当該利用者が検知され、「普通券購入」、「回数券購入」、「定期券購入」、「チャージ」及び「履歴印字」などのメニュー画面が表示される（Ｓ０１）。
【００２１】
利用者が表示されたメニュー画面から「定期券購入」を押下した場合（Ｓ０３の「定期券購入」）、定期券購入初期画面が表示される（Ｓ０５）。
【００２２】
なお、ステップＳ０３において、「定期券購入」以外のボタンが押下された場合は、当該押下されたボタンに応じた処理が行われる（Ｓ０４）。
【００２３】
定期券購入初期画面において、新規購入者又は継続利用者に対する操作案内を行う。すなわち、新規購入者に対しては「新規にお求めの方は右のボタン（「新規」ボタン）にふれてください」表示を行い、定期券を継続して利用する利用者に対しては「継続してお求めの場合は定期券をお入れください」表示を行う。
【００２４】
上記、定期券購入初期画面において、「新規」ボタンが押下された場合、下記、開始日選択画面が表示される（Ｓ０８）。
【００２５】
「ご利用の開始日にふれてください」
「本日」、「1日後」、「２日後」・・・・・「７日後」
次に、下記、期間選択画面が表示される（Ｓ１０）。
【００２６】
「ご利用の期間にふれてください」
「１か月」、「３か月」、「６か月」
次に、乗車駅選択画面が表示される（Ｓ１２）。この乗車駅選択方法に関して本実施例では、乗車駅の駅名ボタンを押下する従来からの方法と、本実施例に係るカードを挿入する方法のいずれかを選択することができるように、下記表示を行う（Ｓ１２）。
【００２７】
「乗車駅を選んでふれてください」
「カード乗車した区間からも選べます。カードを挿入してください」
カードが挿入された場合（Ｓ１３の「カード挿入」）、下記、区間選択画面が表示される（Ｓ１４）。
【００２８】
「定期券を購入する区間を選んでください」
「複数選べます。区間が連続するように選んでください」
この際、ＩＣカードのエンコードから読み取った乗車駅―降車駅の組が表示される。
【００２９】
次に、上記区間選択画面において、経路候補が複数存在する場合（Ｓ１６のＹ）、下記、経路選択画面が表示される（Ｓ１７）。
【００３０】
「複数の経路候補があります。選んでふれてください」
次に、定期運賃が計算され（Ｓ１９）、利用者に対して下記確認画面を表示する（Ｓ２０）。
【００３１】
「表示の内容がよろしければ、確認にふれてください」
この際、「発駅」、「着駅」、「経路」及び「確認」ボタンが表示される。
【００３２】
この確認画面に対して、利用者が確認ボタンを押下すると（Ｓ２１）、下記支払い画面が表示される（Ｓ２２）。
【００３３】
「表示金額をお入れください」
この際、発売金額が表示される。
【００３４】
この支払画面に対して現金投入されると（Ｓ２３）、下記発券中画面が表示される（Ｓ２４）。
【００３５】
「しばらくおまちください」
投入金額に対して「投入金額」、「発売金額」、「つり銭金額」が表示される。
【００３６】
定期券が発行され（Ｓ２５）、投入したＩＣカードが返却される（Ｓ２６）。また、つり銭が排出され（Ｓ２７）、定期券発行が終了する（Ｓ２８）。
【００３７】
なお、ステップＳ１３において、駅名ボタンが押下された場合、降車駅名入力画面が表示される（Ｓ３０）。この表示に基づいて降車駅名が入力される（Ｓ３１）。
【００３８】
降車駅名が複数ある場合（Ｓ３２のＹ）、降車駅選択画面が表示され（Ｓ３３）、降車駅が選択される（Ｓ３４）。なお、降車駅名が複数ない場合は、降車駅名選択画面は表示されずに次の処理（ステップＳ３５）に遷移する。
【００３９】
次に、乗換駅が複数ある場合（Ｓ３５のＹ）、乗換駅選択画面が表示される（Ｓ３６）。この表示に基づき乗換駅を選択することができる（Ｓ３７）。なお、乗換駅候補が複数ない場合は、乗換駅選択画面が表示されずに次の処理（Ｓ３８）に遷移する。
【００４０】
次に、経路候補が複数ある場合（Ｓ３８のＹ）、経路選択画面が表示される（Ｓ３９）。この経路選択画面の表示に基づいて経路が選択される（Ｓ４０）。
【００４１】
ＩＣカードが挿入されていない場合（Ｓ４１のＮ）、氏名、生年月日、性別、電話番号、などの購入者情報の入力処理が行われる（Ｓ４２）。なお、ＩＣカードが挿入された場合（Ｓ４１のＹ）、当該購入者情報入力処理はスキップされステップＳ１９に遷移する。
【００４２】
次に、ステップＳ１９に遷移し、上述した処理が行われる。
【００４３】
以上説明したように、実施例１によれば、ＩＣカードを挿入することにより定期券購入区間の設定及び経路選択が容易になる。
【実施例２】
【００４４】
図４は、実施例２に係る自動券売機の定期券発行処理のフローチャート（その１）である。図５は、実施例２に係る定期券購入登録処理（サブルーチン）のフローチャートである。また、図６は、実施例２に係る自動券売機の定期券発行処理のフローチャート（その２）である。以下、これらの図を参考にして実施例２の説明を行う。なお、実施例１と同一処理を行う部分はその説明を省略し、異なる部分の説明を行う。
【００４５】
実施例２では、定期券を自動券売機で購入する際に、利用者は、メニュー画面（Ｓ５１）に表示された定期券購入登録を選択し、所持するＩＣカードＴに、これから乗車して区間を指定する登録のエンコードを行う（Ｓ５４ａ、定期券購入登録処理）。
【００４６】
図５は、定期券購入登録処理（サブルーチン）のフローチャートである。メニュー画面で定期券購入登録が選択されると（Ｓ５１）、下記定期券購入登録画面が表示される（Ｓ１１１）。
【００４７】
「今からカードでご乗車して、ご購入の定期券区間を指定する登録を行います。」
「カードを挿入してください」
ここで、当該ＩＣカードＴが挿入されると（Ｓ１１２のＹ）、定期券購入登録を示すコードと、当日の年月日をエンコードし（Ｓ１１３）、ＩＣカードＴを返却する（Ｓ１１４）。この際、下記定期券購入登録終了画面が表示される（Ｓ１１５）。
【００４８】
「定期券をご購入する区間でご乗車のうえ、定期券をご購入ください」
「カードをお取りください」
この登録終了後、利用者は、当該ＩＣカードＴを利用して、定期券を購入する区間で乗降する。従って、複数会社線を利用する場合は、当該乗降が会社線ごとに発生する場合もある。
【００４９】
その後、当該ＩＣカードを自動券売機に読み取らせて新規に発行する定期券の区間を設定する。この実施例２では、購入予定の乗車区間の最後の下車駅で以下に示すフローチャートに基づく処理を行う場合に当該実施例２の効果が得られる。以下、図４、図５に示す定期券発行処理フローチャートを参照しながら説明する。
【００５０】
ステップＳ５５〜Ｓ６１は、図２に示す実施例１のステップＳ０５〜Ｓ１１までの処理と同様である。この処理により、定期券購入のための開始日選択（Ｓ５８）及び期間選択（Ｓ６０）が行われる。
【００５１】
次に、下記乗車駅選択画面が表示される（Ｓ６２）。
【００５２】
「乗車駅を選んでふれてください」
「乗車して区間を指定する登録をされた方はカードを挿入してください」
ここで、上述した定期券購入登録のエンコード済みで、かつ、定期券を購入する区間乗車したＩＣカードＴが挿入されると（Ｓ６３の「カード挿入」）、登録のエンコードがあり（Ｓ６４のＹ）、かつ、乗降車時のエンコードがあり（Ｓ６５のＹ）の場合に、当該ＩＣカードにエンコードされている乗車駅及び降車駅が設定される。
【００５３】
続けて行われる経路選択（Ｓ６９）及び定期運賃計算（Ｓ７１）の処理は実施例１同様である。しかしながら、本実施例２では、乗降が当日で、定期券の開始日が当日の場合、上記登録したＩＣカードＴによる乗降分の運賃を定期券の購入時に定期運賃から差し引いて発売するため（Ｓ７３−Ｓ７６）、当該差し引いた金額を表示するため、下記確認画面が表示される（Ｓ７７）。
【００５４】
「表示の内容でよろしければ、確認にふれてください」
この際、発駅、着駅、経路及び確認ボタンが表示される。
【００５５】
続けて処理される支払い画面表示（Ｓ７９）、現金投入（Ｓ８０）、発券中画面表示（Ｓ８１）、券発行（Ｓ８１）、カード返却（Ｓ８３）、つり銭排出（Ｓ８４）及び発券終了処理（Ｓ８５）は実施例１のステップＳ２２〜Ｓ２８で説明した内容と同様である。
【００５６】
なお、ステップＳ６４で乗車して区間を指定する登録のエンコードがない場合（Ｓ６４のＮ）又は乗降車時のエンコードがない場合（Ｓ６５のＮ）は、下記カード返却画面を表示し（Ｓ６６）、当該ＩＣカードを返却する（Ｓ６７）。
【００５７】
「登録または乗車の記録がありません」
続けてステップＳ６２に遷移し、乗車駅選択画面を表示する（Ｓ６２）。
【００５８】
上記ＩＣカードを挿入しない場合のステップＳ９０〜Ｓ１０２で処理される降車駅選択（Ｓ９３−Ｓ９４）、乗換駅選択（Ｓ９６−Ｓ９７）及び経路選択（Ｓ９９−Ｓ１００）の処理は実施例１同様である。
【００５９】
以上説明したように、ＩＣカードで乗車して定期券区間を指定する登録後に当該ＩＣカードを用いて乗車区間を乗降することにより、乗車駅及び降車駅が当該ＩＣカードにエンコードされる。定期券を購入する際、当該エンコードされたＩＣカードを用いて定期券を購入すると発駅、着駅、乗換駅、経路などの入力が容易になる。また、当該乗車した区間の運賃を定期券購入運賃から差し引くことができ利用者に料金上の負担をかけずに済む効果が得られる。
【符号の説明】
【００６０】
Ｔ：ＩＣカード
１０  自動券売機
２０  定期券発行機
３０  自動改札機
４０  窓口処理機
５０  ＩＣカードサーバ
【図１】
0005666896.tif 000002
【図２】
0005666896.tif 000003
【図３】
0005666896.tif 000004
【図４】
0005666896.tif 000005
【図５】
0005666896.tif 000006
【図６】
0005666896.tif 000007